(57)【要約】【課題】電気機器の小型化を実現する。【解決手段】布団乾燥機（１）は、筐体（２）と、筐体（２）から引き出し可能に設けられ、風路を形成するホース（７）と、ホース（７）の開口端部（７１）に接続されるノズル（９）と、ノズル（９）を筐体（２）の内部にホース（７）と分離された状態で配置する位置と、ノズル（９）を筐体（２）の外部に配置する位置との間を回動可能となるように、一端側でホース（７）の開口端部（７１）に支持される蓋（３）と、ノズル（９）が筐体（２）の外部に配置された状態で、ノズル（９）をホース（７）の開口端部（７１）に接続する移動機構（３３）とを備えている。【選択図】図１
2020171600.tif 000002
【特許請求の範囲】
【請求項１】
筐体と、
前記筐体から引き出し可能に設けられ、風路を形成するホースと、
前記ホースの開口端部に接続されるノズルと、
前記ノズルを前記筐体の内部に前記ホースと分離された状態で配置する位置と、前記ノズルを前記筐体の外部に配置する位置との間を回動可能となるように、一端側で前記ホースの前記開口端部に支持される回動部材と、
前記ノズルが前記筐体の外部に配置された状態で、前記ノズルを前記ホースの前記開口端部に接続する接続機構と、を備えていることを特徴とする電気機器。
【請求項２】
前記接続機構は、前記回動部材に設けられ、前記ノズルを、前記回動部材において前記ホースに回動可能に支持される支持端部側と、前記回動部材において回動する回動端部側との間を移動可能に保持する移動機構を含んでいることを特徴とする請求項１に記載の電気機器。
【請求項３】
前記接続機構は、前記回動部材によって前記ノズルを前記筐体の外部に配置し、かつ前記ノズルが前記回動部材の前記回動端部側に配置された状態で、前記ホースの内部から引き出される延長ホースをさらに含み、
前記ノズルは、前記延長ホースを介して前記ホースの前記開口端部に接続されることを特徴とする請求項２に記載の電気機器。
【請求項４】
前記接続機構は、前記ノズルに設けられ、伸縮可能な筒部材を含んでおり、
前記ノズルは、前記回動部材によって前記ノズルを前記筐体の外部に配置した状態で、伸長した前記筒部材を介して前記ホースの前記開口端部に接続されることを特徴とする請求項１に記載の電気機器。
【請求項５】
前記接続機構は、前記回動部材によって前記ノズルを前記筐体の外部に配置し、かつ前記ノズルが前記回動部材において回動する回動端部側に配置された状態で、前記ホースの内部から引き出される延長ホースをさらに含み、
前記ノズルは、前記回動部材によって前記ノズルを前記筐体の外部に配置した状態で、伸長した前記筒部材と前記延長ホースとを介して前記ホースの前記開口端部に接続されることを特徴とする請求項４に記載の電気機器。
【請求項６】
前記回動部材は、前記筐体の開口部を開閉する蓋であることを特徴とする請求項１から５のいずれか１項に記載の電気機器。
【発明の詳細な説明】
【技術分野】
【０００１】
本発明は、ホースを筐体に収納する電気機器に関する。
【背景技術】
【０００２】
布団乾燥機などの電気機器は、空気の流れを導くためのホースを備えている。電気機器を使用しないときには、ホースを必要としないので、ホースをコンパクトにまとめることが好ましい。また、布団乾燥機のように特定のシーズンにしか使用されない電気機器は、使用されない期間に押し入れなどの収納スペースに収納されることが多い。
【０００３】
一般には、収納スペースが限られていることから、電気機器が収納スペースに占める容積をできるだけ小さくすることが好ましい。そのため、特許文献１に開示されているように、ホースやホースに関係する部品を収納する容積を小さくするような構造の工夫がなされている。
【先行技術文献】
【特許文献】
【０００４】
【特許文献１】特開２０１６−１８２３２２号公報（２０１６年１０月２０日公開）
【発明の概要】
【発明が解決しようとする課題】
【０００５】
しかしながら、特許文献１に開示されたホースの収納構造では、ホースとホースの先端に取り付けられるノズルとを分離できない。このため、本体ケース内で、ノズルの向きに沿ってホースを折り曲げる必要がある。この折り曲げられる部分が、ホースの収納部の容積が大きくしている。したがって、布団乾燥機の全体が大きくなってしまう。
【０００６】
本発明の一態様は、電気機器の小型化を目的とする。
【課題を解決するための手段】
【０００７】
上記の課題を解決するために、本発明の一態様に係る電気機器は、筐体と、前記筐体から引き出し可能に設けられ、風路を形成するホースと、前記ホースの開口端部に接続されるノズルと、前記ノズルを前記筐体の内部に前記ホースと分離された状態で配置する位置と、前記ノズルを前記筐体の外部に配置する位置との間を回動可能となるように、一端側で前記ホースの前記開口端部に支持される回動部材と、前記ノズルが前記筐体の外部に配置された状態で、前記ノズルを前記ホースの前記開口端部に接続する接続機構と、を備えている。
【発明の効果】
【０００８】
本発明の一態様によれば、電気機器の小型化を実現することができる。
【図面の簡単な説明】
【０００９】
【図１】本発明の実施形態１〜３に係る布団乾燥機の外観構成を示す斜視図である。
【図２】上記布団乾燥機の蓋を閉じた状態の内部構造を示す縦断面図である。
【図３】上記布団乾燥機の蓋を開いてホースおよび延長ホースを延ばした状態の内部構造を示す縦断面である。
【図４】本発明の実施形態２に係る布団乾燥機の蓋を閉じた状態の内部構造を示す縦断面図である。
【図５】本発明の実施形態２に係る布団乾燥機の蓋を開いてホースを延ばした状態の内部構造を示す縦断面である。
【図６】本発明の実施形態３に係る布団乾燥機の蓋を閉じた状態の内部構造を示す縦断面図である。
【図７】本発明の実施形態３に係る布団乾燥機の蓋を開いてホースおよび延長ホースを延ばした状態の内部構造を示す縦断面である。
【発明を実施するための形態】
【００１０】
〔実施形態１〕
本発明の実施形態１について、図１〜図３に基づいて説明すれば、以下のとおりである。
【００１１】
図１は、実施形態１〜３に係る布団乾燥機１の外観構成を示す斜視図である。図２は、布団乾燥機１の蓋３を閉じた状態の内部構造を示す縦断面図である。図３は、布団乾燥機１の蓋３を開いてホース７および延長ホース８を延ばした状態の内部構造を示す縦断面である。
【００１２】
図１に示すように、布団乾燥機１（電気機器）は、筐体２と、蓋３（回動部材）とで外観構造を形成している。筐体２は、箱状に形成されており、図３に示すように、上端に開口部２１が形成されている。蓋３は、開口部２１を開閉するように設けられている。
【００１３】
図２に示すように、また、布団乾燥機１は、送風ファン４と、ヒータ５と、送風ダクト６と、ホース７と、延長ホース８（接続機構）と、ノズル９とを備えている。
【００１４】
送風ファン４は、筐体２内に配置されており、筐体２の側面に設けられた空気の吸込口（図示せず）から空気を吸い込んで排出することにより、空気の流れを発生する。ヒータ５は、送風ファン４から送られてきた空気を温めるために、送風ファン４の空気の吹き出し口に配置されている。送風ダクト６は、ヒータ５を経た空気を上方に導くように、ヒータ５から上方に向く風路を形成している。
【００１５】
ホース７は、円筒形状に形成されており、送風ダクト６を通過する空気を導く風路を形成している。ホース７は、図２に示す収納状態では、その一部が送風ダクト６内に収納され、かつ図３に示す運転状態では、送風ダクト６から引き出されるように設けられている。
【００１６】
延長ホース８は、円筒形状に形成されており、ホース７を通過する空気をノズル９へ導く風路を形成する。延長ホース８は、図２に示す収納状態では、先端の開口端部を除いた、ほぼ全体がホース７内に収納され、かつ図３に示す運転状態では、ホース７から引き出されるように設けられている。
【００１７】
蓋３は、長方形を成す板状に形成されており、筐体２の上端に設けられた開口部２１を開閉する。また、蓋３は、ノズル９を保持しており、開口部２１を開閉するために、一端側に回動支持部３２を有している。回動支持部３２は、蓋３の両方の側端部に設けられ、かつ蓋３の幅方向に対向するように設けられている突出片である。また、回動支持部３２は、軸３１によって、ホース７の開口端部７１に回動可能となるように支持されている。
【００１８】
蓋３は、移動機構３３を有している。移動機構３３は、ノズル９を、蓋３における回動支持部３２側（支持端部側）と、蓋３において回動する回動端部側との間を移動可能に保持する。移動機構３３は、例えば、蓋３の長手方向に伸びる溝形状のレール（図示せず）と、ノズル９に設けられて摺動可能にレールに嵌まり込む突起（図示せず）との組み合わせによって構成されるが、この例に限定されない。
【００１９】
例えば、ノズル９を保持する構造は、筐体２の内部に設けられていてもよいし、筐体２とノズル９との接続関係として設けられていてもよいし、ノズル９側に設けられていてもよい。また、具体的な保持の構造としては、ノズル９を保持される部分に引っ掛ける構造であったり、ノズル９を保持される部分に嵌め込む構造であったり、ノズル９と保持される部分とにそれぞれ設けられた磁石による引き付けであったりする。
【００２０】
ノズル９は、ホース７内を送出される空気を吹き出す部材である。ノズル９は、ホース７の開口端部７１に接続される空気の導入口が、開口端部７１に接続可能な形状に形成されている。また、ノズル９は、空気の吹き出し口が幅の広い扁平状に形成されている。ノズル９は、このような構造により、吹き出す空気の流速を速めるとともに、空気を扇状の広い範囲に吹き出すことができる。
【００２１】
上記のように構成される布団乾燥機１の運転状態と収納状態との相違について説明する。
【００２２】
布団乾燥機１の運転状態では、図３に示すように、蓋３が図２に示す閉じた状態に対して９０°に開かれ、ホース７の一部が送風ダクト６内から引き出され、かつ延長ホース８がホース７内から引き出されている。また、運転状態では、ノズル９が、移動機構３３によって移動させられて、蓋３の回動端部側に配置されている。そして、ノズル９の導入口と、延長ホース８の開口端部とが接続される。
【００２３】
これにより、送風ファン４からの空気が送風ダクト６、ホース７、延長ホース８およびノズル９を介して吹き出される。また、ホース７および延長ホース８によって、風路を直線状に長く形成することができる。
【００２４】
一方、布団乾燥機１を使用しない収納状態では、図２に示すように、延長ホース８がホース７内に収納され、かつホース７の一部が送風ダクト６内に収納されるとともに、蓋３が閉じられている。また、収納状態では、ノズル９が、移動機構３３によって、開口端部７１に接する程度にホース７に近づく位置に配置されている。
【００２５】
このような収納状態では、ノズル９がホース７（延長ホース８）と分離されるとともに、ホース７および延長ホース８から成る風路が短縮されているので、ホース７、延長ホース８およびノズル９から成る風路を折り曲げる必要がない。これにより、筐体２において風路を収納する容積を小さくすることができる。したがって、布団乾燥機１の小型化を図ることができる。
【００２６】
また、ノズル９を移動機構３３によって移動させることで、図２に示すように、筐体２におけるノズル９の吹き出し口の前方に空間が確保される。この空間を、何らかの部品を配置することなどに利用することができる。
【００２７】
また、蓋３は、がノズル９の配置位置を筐体２の内部と外部とで変える回動部材を兼ねている。これにより、布団乾燥機１を構成する部品を削減することができる。
【００２８】
また、蓋３は、運転状態では、ノズル９を支持する機能も果たす。これにより、運転状態での風路の傾きや倒れを防ぐことができる。
【００２９】
なお、本実施形態では、電気機器が布団乾燥機１である例について説明した。ただし、本発明は、布団乾燥機１に限定されることはなく、送風機、掃除機などのホースを用いて空気の流れを生じさせる機器に適用が可能である。これは、後述する実施形態２および３についても同様である。
【００３０】
〔実施形態２〕
本発明の実施形態２について、図４および図５に基づいて説明すれば、以下のとおりである。なお、説明の便宜上、実施形態１にて説明した部材と同等の機能を有する部材については、同じ符号を付記し、その説明を省略する。また、本実施形態では、実施形態１と異なる部分について説明する。
【００３１】
図４は、本実施形態に係る布団乾燥機１Ａの蓋３を閉じた状態の内部構造を示す縦断面図である。図５は、本実施形態に係る布団乾燥機１Ａの蓋３を開いてホース７を延ばした状態の内部構造を示す縦断面である。
【００３２】
図１、図４および図５に示すように、本実施形態に係る布団乾燥機１Ａは、実施形態１に係る布団乾燥機１と同じく、筐体２と、蓋３とで外観構造を形成するとともに、送風ファン４と、ヒータ５と、送風ダクト６と、ホース７とを備えている。また、布団乾燥機１Ａは、布団乾燥機１と異なり、延長ホース８を備えていない。
【００３３】
上記のように構成される布団乾燥機１Ａの運転状態と収納状態との相違について説明する。
【００３４】
布団乾燥機１Ａの運転状態では、図５に示すように、蓋３が図４に示す閉じた状態に対して９０°に開かれ、ホース７の一部が送風ダクト６内から引き出されている。また、運転状態では、ノズル９が、移動機構３３（接続機構）によって移動させられて、蓋３の支持端部側に配置されている。そして、ノズル９の導入口と、ホース７の開口端部７１とが接続される。
【００３５】
これにより、送風ファン４からの空気が送風ダクト６、ホース７およびノズル９を介して吹き出される。
【００３６】
一方、布団乾燥機１Ａを使用しない収納状態では、図４に示すように、ホース７の一部が送風ダクト６内に収納されるとともに、蓋３が閉じられている。また、収納状態では、ノズル９が、移動機構３３によって、蓋３の回動端部側に配置されている。
【００３７】
このような収納状態では、ノズル９がホース７と分離されるとともに、ホース７から成る風路が短縮されているので、ホース７およびノズル９から成る風路全体を折り曲げる必要がない。これにより、筐体２において風路を収納する容積を小さくすることができる。したがって、布団乾燥機１Ａの小型化を図ることができる。
【００３８】
また、ノズル９を移動機構３３によって移動させることで、図４に示すように、筐体２におけるノズル９とホース７との間に空間が確保される。この空間を利用して、筐体２に内部に突出するように取っ手などの部分を形成することができる。
【００３９】
〔実施形態３〕
本発明の実施形態３について、図１、図６および図７に基づいて説明すれば、以下のとおりである。なお、説明の便宜上、実施形態１にて説明した部材と同等の機能を有する部材については、同じ符号を付記し、その説明を省略する。また、本実施形態では、実施形態１と異なる部分について説明する。
【００４０】
図６は、本実施形態に係る布団乾燥機１Ｂの蓋３を閉じた状態の内部構造を示す縦断面図である。図７は、本実施形態に係る布団乾燥機１Ｂの蓋３を開いてホース７を延ばした状態の内部構造を示す縦断面である。
【００４１】
図１、図６および図７に示すように、本実施形態に係る布団乾燥機１Ｂは、実施形態１に係る布団乾燥機１と同じく、筐体２と、蓋３とで外観構造を形成するとともに、送風ファン４と、ヒータ５と、送風ダクト６と、ホース７とを備えている。また、布団乾燥機１Ａは、布団乾燥機１と異なり、延長ホース１０（接続機構）と、ノズル１１とを備えている。
【００４２】
延長ホース１０は、布団乾燥機１の延長ホース８と同じく、円筒形状に形成されており、ホース７を通過する空気をノズル９へ導く風路を形成するが、延長ホース８よりも短く形成されている。延長ホース１０は、図６に示す収納状態では、全体がホース７内に収納され、かつ図７に示す運転状態では、ホース７から引き出されるように設けられている。
【００４３】
ノズル１１の本体部分は、ノズル９とほぼ同じ構造に形成されている。また、ノズル１１は、空気を導入する側に設けられる、伸縮可能な筒部材１１２（接続機構）を含んでいる。筒部材１１２は、図７に示すように、複数（図７では３つ）の直径の異なる大径筒、中径筒および小径筒によって構成されている。最も直径の大きい大径筒の内側には、大径筒に次いで直径の大きい中径筒が収納されている。中径筒の内側には、最も直径の小さい小径筒が収納される。
【００４４】
図７に示すように、筒部材１１２が伸長した状態では、大径筒と中径筒とが接するそれぞれの端部は、空気が漏れないように気密状態で係合され、中径筒と小径筒とが接するそれぞれの端部も、気密状態で係合される。
【００４５】
上記のように構成される布団乾燥機１Ｂの運転状態と収納状態との相違について説明する。
【００４６】
布団乾燥機１Ｂの運転状態では、図７に示すように、蓋３が図６に示す閉じた状態に対して９０°に開かれ、ホース７の一部が送風ダクト６内から引き出され、延長ホース１０がホース７から引き出されている。また、運転状態では、ノズル１１が、蓋３の回動端部側に配置されている。そして、ノズル１１の筒部材１１２は、伸長された状態で、延長ホース１０の開口端部と接続される。
【００４７】
これにより、送風ファン４からの空気が送風ダクト６、ホース７、延長ホース１０およびノズル１１を介して吹き出される。また、ホース７および延長ホース１０によって、風路を長く形成することができる。
【００４８】
一方、布団乾燥機１Ｂを使用しない収納状態では、図６に示すように、ホース７の一部が送風ダクト６内に収納され、延長ホース１０がホース７内に収納されるとともに、蓋３が閉じられている。また、収納状態では、ノズル１１が蓋３の回動端部側に配置されている。
【００４９】
このような収納状態では、ノズル１１がホース７と分離されるとともに、ホース７および延長ホース１０から成る風路が短縮されているので、ホース７、延長ホース１０およびノズル１１から成る風路全体を折り曲げる必要がない。これにより、筐体２において風路を収納する容積を小さくすることができる。したがって、布団乾燥機１Ｂの小型化を図ることができる。
【００５０】
また、図６に示すように、収納状態で、ノズル１１が回動端部側に配置されることにより、筐体２におけるノズル１１とホース７との間に空間が確保される。この空間を利用して、筐体２に内部に突出するように取っ手などの部分を形成することができる。
【００５１】
なお、布団乾燥機１Ｂは、図６に示す収納状態と図７に示す運転状態とで、蓋３におけるノズル１１の位置が同じであるので、移動機構３３を備えていなくてもよい。また、布団乾燥機１Ｂは、移動機構３３を備えることにより、ノズル１１を、布団乾燥機１のノズル９と同様に、ホース７側に移動させてもよい。
【００５２】
また、布団乾燥機１Ｂにおいて、延長ホース１０を省略してもよい。
【００５３】
〔まとめ〕
本発明の態様１に係る電気機器は、筐体と、前記筐体から引き出し可能に設けられ、風路を形成するホースと、前記ホースの開口端部に接続されるノズルと、前記ノズルを前記筐体の内部に前記ホースと分離された状態で配置する位置と、前記ノズルを前記筐体の外部に配置する位置との間を回動可能となるように、一端側で前記ホースの前記開口端部に支持される回動部材（蓋３）と、前記ノズルが前記筐体の外部に配置された状態で、前記ノズルを前記ホースの前記開口端部に接続する接続機構（移動機構３３、延長ホース８，１０、筒部材１１２）と、を備えている。
【００５４】
上記の構成によれば、ノズルは、筐体の外部に配置される状態では、接続機構によってホースの開口端部に接続される。また、ノズルは、筐体の内部に配置される状態では、ホースと分離される。これにより、ホースを筐体の内部に収納する状態で、ホースがノズルと接続された状態で折り曲げられることはない。
【００５５】
本発明の態様２に係る電気機器は、上記態様１において、前記接続機構は、前記回動部材に設けられ、前記ノズルを、前記回動部材において前記ホースに回動可能に支持される支持端部側と、前記回動部材において回動する回動端部側との間を移動可能に保持する移動機構を含んでいてもよい。
【００５６】
上記の構成によれば、ノズルが筐体の外部に配置される状態では、移動機構によってノズルを支持端部側に移動させることで、ノズルをホースの開口端部に接続することができる。また、ノズルが筐体の内部に配置される状態では、移動機構によってノズルを回動端部側に移動させることで、ノズルをホースの開口端部と分離することができる。
【００５７】
本発明の態様３に係る電気機器は、上記態様２において、前記接続機構が、前記回動部材によって前記ノズルを前記筐体の外部に配置し、かつ前記ノズルが前記回動部材の前記回動端部側に配置された状態で、前記ホースの内部から引き出される延長ホースをさらに含み、前記ノズルが、前記延長ホースを介して前記ホースの前記開口端部に接続されていてもよい。
【００５８】
上記の構成によれば、延長ホースによって風路が延長される。したがって、より長い風路を得ることができる。
【００５９】
本発明の態様４に係る電気機器は、上記態様１において、前記接続機構が、前記ノズルに設けられ、伸縮可能な筒部材を含んでおり、前記ノズルが、前記回動部材によって前記ノズルを前記筐体の外部に配置した状態で、伸長した前記筒部材を介して前記ホースの前記開口端部に接続されていてもよい。
【００６０】
上記の構成によれば、筒部材によって風路が延長される。したがって、より長い風路を得ることができる。
【００６１】
本発明の態様５に係る電気機器は、上記態様４において、前記接続機構が、前記回動部材によって前記ノズルを前記筐体の外部に配置し、かつ前記ノズルが前記回動部材において回動する回動端部側に配置された状態で、前記ホースの内部から引き出される延長ホースをさらに含み、前記ノズルが、前記回動部材によって前記ノズルを前記筐体の外部に配置した状態で、伸長した前記筒部材と前記延長ホースとを介して前記ホースの前記開口端部に接続されていてもよい。
【００６２】
上記の構成によれば、筒部材および延長ホースによって風路が延長される。したがって、より一層長い風路を得ることができる。
【００６３】
本発明の態様６に係る電気機器は、上記態様１から５のいずれかにおいて、前記回動部材は、前記筐体の開口部を開閉する蓋であってもよい。
【００６４】
上記の構成によれば、蓋が回動部材を兼ねるので、電気機器を構成する部材を削減することができる。
【００６５】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６６】
１，１Ａ，１Ｂ  布団乾燥機（電気機器）
２  筐体
３  蓋（回動部材）
８，１０  延長ホース
９，１１  ノズル
２１  開口部
３３  移動機構
７１  開口端部
１１２  筒部材
【図１】
2020171600.tif 000003
【図２】
2020171600.tif 000004
【図３】
2020171600.tif 000005
【図４】
2020171600.tif 000006
【図５】
2020171600.tif 000007
【図６】
2020171600.tif 000008
【図７】
2020171600.tif 000009